【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
電子写真画像形成装置本体に設けられた装着部に取り外し可能に装着されるカートリッジにおいて、
前記装置本体から、電子写真感光体に作用するプロセス手段に給電するために、前記カートリッジを前記装着部に装着した際に、前記装置本体に設けられた本体電気接点と電気的に接続するカートリッジ電気接点と、
前記カートリッジを前記装着部へ装着する際に、前記カートリッジを前記装着部へガイドするように、前記装置本体に設けられた本体ガイドにガイドされる第一被ガイド部、及び、第二被ガイド部と、
前記カートリッジを前記装着部へ装着する際に、前記本体電気接点と前記カートリッジ電気接点とが電気的に接続するように、前記本体電気接点を前記カートリッジ電気接点へガイドするガイド部と、
を有し、
前記ガイド部は、前記第一被ガイド部と前記第二被ガイド部との間に設けられ、前記カートリッジを前記装着部へ装着する方向において、前記カートリッジ電気接点は前記ガイド部に対して上流側に配置されていることを特徴とするカートリッジ。
【請求項２】
前記カートリッジは、第一枠体と、前記第一枠体の長手方向一端で外方へ突出して設けられた突出部と、を有し、前記第一被ガイド部は、前記カートリッジを前記装着部に装着する際に、前記突出部の上側に位置する上面であり、前記第二被ガイド部は、前記装着する際に、前記突出部の下側に位置する下面であることを特徴とする請求項１に記載のカートリッジ。
【請求項３】
前記突出部は、凹部を有し、前記第一ガイド部は、前記装着する際に、前記凹部の上方に位置する上側内面であり、前記第二ガイド部は、前記装着する際に、前記凹部の下方に位置する下側内面である請求項１又は請求項２のいずれかに記載のカートリッジ。
【請求項４】
前記カートリッジ電気接点は、前記装着方向において、前記凹部の上流側に設けられていることを特徴とする請求項３に記載のカートリッジ。
【請求項５】
前記カートリッジは、前記電子写真感光体を回転可能に支持する第一枠体と、前記電子写真感光体に形成された静電潜像を現像する現像ローラと、前記現像ローラを支持する第二枠体とを有し、前記カートリッジ電気接点は前記第一枠体と前記第二枠体とを回動可能に結合するための導電性結合ピンの一部であることを特徴とする請求項１に記載のカートリッジ。
【請求項６】
前記カートリッジは、前記電子写真感光体を有するプロセスカートリッジであることを特徴とする請求項１に記載のカートリッジ。
【請求項７】
前記ガイド部は、互いに対向している前記第一ガイド部及び前記第二ガイド部であることを特徴とする請求項１乃至請求項６のいずれかに記載のカートリッジ。
【請求項８】
前記カートリッジ電気接点は、前記第一ガイド部と前記第二ガイド部との間に設けられていることを特徴とする請求項７に記載のカートリッジ。
【請求項９】
電子写真画像形成装置本体に設けられた装着部に取り外し可能に装着されるプロセスカートリッジにおいて、
電子写真感光体と、
前記電子写真感光体を回転可能に支持する第一枠体と、
前記電子写真感光体に形成された静電潜像を現像する現像ローラと、
前記現像ローラを回転可能に結合する第二枠体と、
前記第一枠体と前記第二枠体とを回転可能に結合するための導電性結合ピンであって、前記装置本体から前記現像ローラに給電するために、前記プロセスカートリッジを前記装着部に装着した際に、前記装置本体に設けられた本体電気接点と電気的に接続する導電性結合ピンと、
前記プロセスカートリッジを前記装着部に装着する際に、前記カートリッジを前記装着部へガイドするように、前記装置本体に設けられた本体ガイドにガイドされる第一被ガイド部、及び、第二被ガイド部と、
前記カートリッジを前記装着部へ装着する際に、前記本体電気接点と前記結合ピンとが電気的に接続するように、前記本体電気接点を前記結合ピンへガイドするガイド部と
前記ガイド部は、前記第一被ガイド部と前記第二被ガイド部との間に設けられ、前記カートリッジを前記装着部へ装着する方向において、前記カートリッジ電気接点は前記ガイド部に対して上流側に配置されていることを特徴とするプロセスカートリッジ。
【請求項１０】
前記プロセスカートリッジは、前記第一枠体の長手方向一端に突出して設けられた突出部を有し、前記第一被ガイド部は、前記カートリッジを前記装着部に装着する際に、前記突出部の上側に位置する上面であり、前記第二被ガイド部は、前記装着する際に、前記突出部の下側に位置する下面であることを特徴とする請求項９に記載のカートリッジ。
【請求項１１】
前記突出部は、凹部を有し、前記第一ガイド部は、前記装着する際に、前記凹部の上方に位置する上側内面であり、前記第二ガイド部は、前記装着する際に、前記凹部の下方に位置する下側内面である請求項９又は請求項１０のいずれかに記載のカートリッジ。
【請求項１２】
前記カートリッジ電気接点は、前記装着方向において、前記凹部の上流側に設けられていることを特徴とする請求項９乃至請求項１１のいずれかに記載のカートリッジ。
【請求項１３】
カートリッジを用いて記録媒体に画像を形成する電子写真画像形成装置において、
（ｉ）装着部と、
（ｉｉ）前記カートリッジを前記装着部に装着した際に、前記カートリッジに設けられた前記カートリッジ電気接点と電気的に接続する本体電気接点と、
（ｉｉｉ）前記カートリッジを前記装着部へ装着する際に、前記カートリッジを前記装着部へガイドするための本体ガイドと、
（ｉｖ）前記装着部に取り外し可能に装着されたカートリッジであって、電子写真感光体に作用するプロセス手段と、前記装置本体から前記プロセス手段に給電するために、前記カートリッジを前記装着部に装着した際に、前記装置本体に設けられた本体電気接点と電気的に接続するカートリッジ電気接点と、前記カートリッジを前記装着部へ装着する際に、前記カートリッジを前記装着部へガイドするように、前記本体ガイドにガイドされる第一被ガイド部、及び、第二被ガイド部と、前記カートリッジを前記装着部へ装着する際に、前記本体電気接点と前記カートリッジ電気接点とが電気的に接続するように、前記本体電気接点を前記カートリッジ電気接点へガイドするガイド部と、を有し、前記ガイド部は、前記第一被ガイド部と前記第二被ガイド部との間に設けられ、前記カートリッジを前記装着部へ装着する方向において、前記カートリッジ電気接点は前記ガイド部に対して上流側に配置されているカートリッジと、
を有することを特徴とする電子写真画像形成装置。
【請求項１４】
電子写真画像形成装置本体に設けられた装着部に取り外し可能に装着されるカートリッジにおいて、
前記装置本体から、電子写真感光体に作用するプロセス手段に給電するために、前記カートリッジを前記装着部に装着した際に、前記装置本体に設けられた本体電気接点と電気的に接続するカートリッジ電気接点と、
前記カートリッジを前記装着部へ装着する際に、前記カートリッジを前記装着部へガイドするように、前記装置本体に設けられた本体ガイドにガイドされる第一被ガイド部、及び、第二被ガイド部と、
前記カートリッジを前記装着部へ装着する際に、前記本体電気接点と前記カートリッジ電気接点とが電気的に接続するように、前記本体電気接点を前記カートリッジ電気接点へガイドする第一ガイド部、及び、第二ガイド部と、
を有し、
前記第一ガイド部及び第二ガイド部は、前記第一被ガイド部と前記第二被ガイド部との間に設けられ、前記カートリッジ電気接点は、前記第一ガイド部と前記第二ガイド部との間に設けられていることを特徴とするカートリッジ。